(57)【要約】【課題】  構造が簡単であり、スプリングやバネ部材を抹消することができ、コストダウンを図れ、押えねじに対する付勢手段として弾性的に優れた光ピックアップを提供する。【解決手段】  レンズホルダ１をアクトベース２上のシャフト３にフォーカス方向及びトラッキング方向に移動可能に嵌合したレンズホルダユニットが光ピックアップ本体４上に載置されアクトベース２に所定間隔をおいて貫設した２つのねじ孔９に光ピックアップ本体４を貫通する角度調整ねじ１０が螺合され、アクトベース２に各ねじ孔９から所定間隔をおいて貫設した挿通孔１３に挿通した押えねじ１１を光ピックアップ本体４に螺着し押えねじ１１の頭部１１ａとアクトベース２との間に付勢手段を設け付勢手段がアクトベース２の本体部の端部から斜め上向きに一体に屈曲形成された曲成片１２からなり、押えねじ１１を曲成片１２に挿通し曲成片１２の先端部分を押えねじ１１の頭部１１ａに接した。【選択図】  図２
2006318604.tif 000002
【特許請求の範囲】
【請求項１】
対物レンズ支持用レンズホルダをアクトベース上のシャフトにフォーカス方向及びトラッキング方向に移動可能に嵌合させたレンズホルダユニットが光ピックアップ本体上に載置され、前記アクトベースに所定間隔をおいて貫設した２つのねじ孔に光ピックアップ本体を貫通する一対の角度調整ねじが螺合され、前記アクトベースに各ねじ孔から所定間隔をおいて貫設した挿通孔に挿通した押えねじが光ピックアップ本体に螺着され、この押えねじの頭部とアクトベースとの間に付勢手段が設けられた光ピックアップにおいて、前記付勢手段が前記アクトベースの本体部の端部から斜め上向きに一体に屈曲形成された曲成片からなり、前記押えねじが前記曲成片に挿通され、この曲成片の先端部分が前記押えねじの頭部に接するようにしたことを特徴とする光ピックアップ。
【請求項２】
対物レンズ支持用レンズホルダをアクトベース上のシャフトにフォーカス方向及びトラッキング方向に移動可能に嵌合させたレンズホルダユニットが光ピックアップ本体上に載置され、前記アクトベースに所定間隔をおいて貫設した２つのねじ孔に光ピックアップ本体を貫通する一対の角度調整ねじが螺合され、前記アクトベースに各ねじ孔から所定間隔をおいて貫設した挿通孔に挿通した押えねじが光ピックアップ本体に螺着され、この押えねじの頭部とアクトベースとの間に付勢手段が設けられた光ピックアップにおいて、前記付勢手段が前記アクトベースの本体部の端部から一体に延設された曲成片からなり、前記押えねじが前記曲成片に挿通され、この曲成片の先端部分が前記押えねじの頭部に接するようにしたことを特徴とする光ピックアップ。
【請求項３】
前記曲成片は、前記アクトベースの本体部の端部から横向き略Ｕ字形に一体に延設され、その先端部分が前記押えねじの頭部に接するようにした請求項２に記載の光ピックアップ。
【請求項４】
前記曲成片は、前記アクトベースの本体部の端部から横向き略Ｖ字形に一体に延設され、その先端部分が前記押えねじの頭部に接するようにした請求項２に記載の光ピックアップ。
【発明の詳細な説明】
【技術分野】
【０００１】
本発明は、ＣＤやＤＶＤ等のディスク状記録媒体に光スポットを投影して、情報の記録、再生を行う記録／再生装置等に用いられる光ピックアップに関するものである。
【背景技術】
【０００２】
第１の従来技術を図５（ａ）（ｂ）に示す。この従来の光ピックアップは、対物レンズＯＬ支持用レンズホルダ１０１をアクトベース１０２上のシャフト１０３にフォーカス方向ａ、ｂ及びトラッキング方向ｃ、ｄに移動可能に嵌合させたレンズホルダユニットＡが光ピックアップ本体１０４上に載置されている。アクトベース１０２に所定間隔をおいて貫設した２つのねじ孔１０５に光ピックアップ本体１０４を貫通する一対の角度調整ねじ１０６が螺合されている。アクトベース１０２に各ねじ孔１０５から所定間隔をおいて貫設した挿通孔１０７に挿通した押えねじ１０８が光ピックアップ本体に螺着され、この押えねじ１０８の頭部１０８ａとアクトベース１０２との間にコイルばね１０９が介装されている。シャフト１０３の頂面に対向するストップカバー１１０の両側縁に突設した４つのフック部１１０ａをアクトベース１０２に係合させることにより、このストップカバー１１０がアクトベース１０２に着脱可能に取付けられている。尚、符号１１１はフォーカスコイル、符号１１２はトラッキングコイル、符号１１３はマグネットである。（例えば、特許文献１参照）。
【０００３】
光ピックアップの作用を説明すると、フォーカスコイル１１１に通電して励磁させることにより、レンズホルダ１０１をシャフト１０３に沿ってフォーカス方向ａ、ｂに摺動させて、対物レンズＯＬの焦点をディスクに合わせる。また、トラッキングコイル１１２に通電して励磁させることにより、レンズホルダ１０１をシャフト１０３回りでトラッキング方向ｃ、ｄに揺動させて、対物レンズＯＬをディスクの所定のトラックに追従させる。
【０００４】
対物レンズＯＬの光軸調整の手順を説明すると、コイルばね１０９によりアクトベース１０２を光ピックアップ本体１０４に押し付けた状態で、各角度調整ねじ１０６のねじ込み量を調整することによりアクトベース１０２の姿勢を修正して、対物レンズＯＬの光軸をレーザダイオードから投射したレーザ光に一致させる。（特許文献１参照）
ところが、上記した構成では、アクトベース１０２を光ピックアップ本体１０４に押し付けるための付勢手段としてコイルばね１０９を用いており、このコイルばね１０９は比較的高価であるから、製作費が高くつくという問題があった。
【０００５】
第２の従来技術を図６（ａ）（ｂ）に示す。この従来の光ピックアップは、上記した第１の従来技術の問題を解消しようとしたものである。この従来の光ピックアップは、図６（ａ）（ｂ）に示すように、金属製板ばねからなるストップカバー２１０の一側縁両端に突設されてアクトベース２０２に当接する一対の脚部２１０ｂ、２１０ｃのうち一方の脚部２１０ｂからアクトベース２０２に沿って延びる延長部２１０ｄが設けられている。この延長部２１０ｄの中央部を略Ｕ字状に湾曲させて弾性片２１５が形成される。この弾性片２１５の端部に貫設した位置決め孔２１６をアクトベース２０２に突設した凸部２１７に嵌合させることにより、その弾性片２１５の湾曲部２１５ａに貫設した貫通孔２１８がアクトベース２０２の挿通孔２０７に同心状に位置決めされる。更に、その同心状の貫通孔２１８及び挿通孔２０７に挿通した押えねじ２０８を光ピックアップ本体２０４に螺着させることにより、この押えねじ２０８の頭部２０８ａを弾性片２１５の湾曲部２１５ａに押し付けるようにしている。（例えば、特許文献２参照）。
【０００６】
ところが、これにおいては、押えねじ２０８をねじ込んだときに、湾曲部２１５ａの広がる作用によって、脚部２１０ｂが内側に押されてずれるので、ばねとしての作用が弱くなるという問題があった。
【０００７】
第３の従来技術を図７（ａ）（ｂ）に示す。この従来の光ピックアップは、図７（ａ）（ｂ）に示すように、光学装置ベース３０２に対して、対物レンズ駆動装置の対物レンズ用保持体３０１を対物レンズＯＬの中心付近を中心を有する曲面３０３を介して、その中心を通る光軸に関して傾動調整可能に、保持している光ピックアップにおいて、光学装置ベース３０２に対して対物レンズ保持体３０１を支持する、傾動調整のための支点を、両者間に架設した棒状あるいは板状のバネ部材３０８で構成しているものである。（例えば、特許文献３参照）。
【０００８】
ところが、これにおいては、別部品であるバネ部材３０８を用いているので、コスト高になるという問題があった。また、バネ部材３０８を装着するための構造が複雑であるという問題があった。
【特許文献１】実開平１１−６５９１９号公報
【特許文献２】実用新案登録第３０９６３８８号公報
【特許文献３】特開平９−２１９０３２号公報
【発明の開示】
【発明が解決しようとする課題】
【０００９】
本発明は、上記従来の問題に鑑みてなされたものであって、構造が簡単であり、スプリングやバネ部材を抹消することができ、コストダウンを図れ、押えねじに対する付勢手段として弾性的に優れた光ピックアップを提供することを目的としている。
【課題を解決するための手段】
【００１０】
本発明は、上記課題を解決するために提案されたものであって、請求項１に記載の発明は、対物レンズ支持用レンズホルダをアクトベース上のシャフトにフォーカス方向及びトラッキング方向に移動可能に嵌合させたレンズホルダユニットが光ピックアップ本体上に載置され、前記アクトベースに所定間隔をおいて貫設した２つのねじ孔に光ピックアップ本体を貫通する一対の角度調整ねじが螺合され、前記アクトベースに各ねじ孔から所定間隔をおいて貫設した挿通孔に挿通した押えねじが光ピックアップ本体に螺着され、この押えねじの頭部とアクトベースとの間に付勢手段が設けられた光ピックアップにおいて、前記付勢手段が前記アクトベースの本体部の端部から斜め上向きに一体に屈曲形成された曲成片からなり、前記押えねじが前記曲成片に挿通され、この曲成片の先端部分が前記押えねじの頭部に接するようにしたことを特徴としている。
【００１１】
請求項２に記載の発明は、対物レンズ支持用レンズホルダをアクトベース上のシャフトにフォーカス方向及びトラッキング方向に移動可能に嵌合させたレンズホルダユニットが光ピックアップ本体上に載置され、前記アクトベースに所定間隔をおいて貫設した２つのねじ孔に光ピックアップ本体を貫通する一対の角度調整ねじが螺合され、前記アクトベースに各ねじ孔から所定間隔をおいて貫設した挿通孔に挿通した押えねじが光ピックアップ本体に螺着され、この押えねじの頭部とアクトベースとの間に付勢手段が設けられた光ピックアップにおいて、前記付勢手段が前記アクトベースの本体部の端部から一体に延設された曲成片からなり、前記押えねじが前記曲成片に挿通され、この曲成片の先端部分が前記押えねじの頭部に接するようにしたことを特徴としている。
【００１２】
請求項３に記載の発明は、請求項２に記載の発明において、前記曲成片は、前記アクトベースの本体部の端部から横向き略Ｕ字形に一体に延設され、その先端部分が前記押えねじの頭部に接するようにした。
【００１３】
請求項４に記載の発明は、請求項２に記載の発明において、前記曲成片は、前記アクトベースの本体部の端部から横向き略Ｖ字形に一体に延設され、その先端部分が前記押えねじの頭部に接するようにした。
【発明の効果】
【００１４】
請求項１に記載の発明によれば、押えねじの頭部とアクトベースの間に設けられた付勢手段がアクトベースの本体部の端部から斜め上向きに一体に屈曲形成された曲成片で構成されているので、屈曲するだけで曲成片を形成できて形状が簡単でその製作が容易である。また、スプリングやバネ部材を抹消できるから、コストダウンを図ることができる。更に、押えねじに対してこの曲成片は付勢部材として正確に作用するので、弾性的に優れたものとすることができる。
【００１５】
請求項２に記載の発明によれば、付勢部材として曲成片が確実に作用するので、スプリングやバネ部材を抹消することができ、コストダウンを図ることができる。更に、構造を簡単化することができる。更に、押えねじに対してこの曲成片の弾性を確実に発揮することができる。
【００１６】
請求項３に記載の発明によれば、曲成片が横向き略Ｕ字形に形成されているので、弾性に富んだものとすることができ、その製作も容易にできて構造を簡単化することができる。
【００１７】
請求項４に記載の発明によれば、曲成片が横向き略Ｖ字形に形成されているので、その製作を容易に行うことができ、コストダウンを図ることができる。また、弾性に優れたものとすることができる。
【発明を実施するための最良の形態】
【００１８】
以下、本発明に係る光ピックアップの実施の形態について、図面を参照しつつ説明する。
【００１９】
図１は本発明の第１実施形態の光ピックアップの要部の平面図、図２は同光ピックアップの要部の縦断面図である。
【００２０】
図１において、符号１はレンズホルダ、符号２はアクトベース、符号３はシャフト、符号４は光ピックアップ本体、符号５はトラッキングコイル、符号６はマグネット、符号７は対物レンズである。尚、レンズホルダ１のフォーカス方向ａ、ｂ及び図２に示すトラッキング方向ｃ、ｄへの揺動については、上記した第１の従来技術で述べた動作・作用とほぼ同じであるから、この第１実施形態では、符号を付してその説明を省略する。
【００２１】
アクトベース２の２方にアーム部８、８が延設されていて、これらのアーム部８、８の先端にねじ孔９、９が穿設され、これらのねじ孔９、９に光ピックアップ本体４を貫通する一対の角度調整ねじ１０、１０が螺合されている。アクトベース２の他方には、図２に示すように、押えねじ１１とアクトベース２との間に設けられる付勢手段として、アクトベース２の本体部の端部から斜め上向きに一体に屈曲形成された曲成片１２が設けられている。この押えねじ１１が曲成片１２に挿通して形成された挿通孔１３に挿入され、この曲成片１２の先端部分が押えねじ１１の頭部１１ａに接している。また、図２に示すように、アクトベース２はその下面中央の３箇所から下向きに突設された略３角錐状の突起１４が設けられ、ピックアップ本体４の上面の３箇所に突設され、傾斜面を有する突起部１５に突起１４が当接している。この構造により、アクトベース２の角度調整を行うことができるようになっている。
【００２２】
この第１実施形態によれば、押えねじ１１の頭部１１ａとアクトベース２の間に設けられた付勢手段がアクトベース２の本体部の端部から斜め上向きに一体に屈曲形成された曲成片１２で構成されているので、屈曲するだけで曲成片１２を形成できて形状が簡単でその製作が容易である。また、スプリングやバネ部材を抹消できるから、コストダウンを図ることができる。更に、押えねじ１１に対してこの曲成片１２は付勢部材として正確に作用するので、弾性的に優れたものとすることができる。尚、曲成片１２の厚さをアクトベース２の本体部の厚さより薄く形成すると、より一層弾性的効果を発揮することができる利点がある。
【００２３】
図３は第２実施形態の光ピックアップの要部の縦断面図である。尚、上記した第１実施形態における同一部材、同一箇所には、同一符号を付してその説明を省略する。
【００２４】
この第２実施形態の光ピックアップは、図３に示すように、押えねじ１１の頭部１１ａとアクトベース２との間に設けられる付勢手段として、アクトベース２の本体部の端部から横向き略Ｕ字形に一体に延設された曲成片１２Ａが設けられている。この曲成片１２Ａに挿通して形成された上下の挿通孔１６、１６に押えねじ１１が挿通されて、この曲成片１２Ａの先端部分が押えねじ１１の頭部１１ａに接している。
【００２５】
従って、この第２実施形態によれば、曲成片１２Ａが横向き略Ｕ字形に形成されているので、弾性に富んだものとすることができ、その製作も容易にできて構造を簡単化することができる。
【００２６】
図４は第３実施形態の光ピックアップの要部の縦断面図である。尚、上記した第１実施形態における同一部材、同一箇所には、同一符号を付してその説明を省略する。
【００２７】
この第３実施形態の光ピックアップは、図４に示すように、押えねじ１１の頭部１１ａとアクトベース２との間に設けられる付勢手段として、アクトベース２の本体部の端部から横向き略Ｖ字形に一体に延設された曲成片１２Ｂが設けられている。この曲成片１２Ｂに挿通して形成された上下の挿通孔１７、１７に押えねじ１１が挿通されて、この曲成片１２Ｂの先端部分が押えねじ１１の頭部１１ａに接している。
【００２８】
この第３実施形態によれば、、曲成片１２Ｂが横向き略Ｖ字形に形成されているので、その製作を容易に行うことができ、コストダウンを図ることができる。また、弾性に優れたものとすることができる。
【図面の簡単な説明】
【００２９】
【図１】本発明の第１実施形態の光ピックアップの要部の平面図である。
【図２】同光ピックアップの要部の縦断面図である。
【図３】第２実施形態の光ピックアップの要部の縦断面図である。
【図４】第３実施形態の光ピックアップの要部の縦断面図である。
【図５】第１従来技術の光ピックアップを示し、（ａ）はその部分平面図、（ｂ）はその部分縦断面図である。
【図６】第２従来技術の光ピックアップを示し、（ａ）はその部分平面図、（ｂ）はその部分縦断面図である。
【図７】第３従来技術の光ピックアップを示し、（ａ）はその部分斜視図、（ｂ）はその部分縦断面図である。
【符号の説明】
【００３０】
１      レンズホルダ
２      アクトベース
３      シャフト
４      光ピックアップ本体
５      トラッキングコイル
６      マグネット
７      対物レンズ
８      アーム部
９      ねじ孔
１０    角度調整ねじ
１１    押えねじ
１１ａ  頭部
１２    曲成片
１２Ａ  曲成片
１２Ｂ  曲成片
１３    挿通孔
１４    突起
１５    突起部
１６    挿通孔
１７    挿通孔
【図７】
2006318604.tif 000003
【図１】
2006318604.tif 000004
【図２】
2006318604.tif 000005
【図３】
2006318604.tif 000006
【図４】
2006318604.tif 000007
【図５】
2006318604.tif 000008
【図６】
2006318604.tif 000009